(57)【要約】【課題】パイル長Ｈが５ｍｍ以上のタフテッドパイル布帛のパイル面に視感的濃淡差による図柄模様を描出する。【解決手段】熱可塑性パイル繊維１１で構成されたカーペットのパイル面１５をレーザー光線を照射して加熱し、パイル繊維１１の先端が熱溶融して窪み、パイル繊維１１の溶融塊が表面に固着した凹部１７を形成し、その凹部１７の内部に基布１９に対して２０度以下の傾斜角度θで傾斜し、その傾斜方向Ｓに傾斜の頂点２６から傾斜の底点２７へと続く長さＬが１５ｍｍ以上の斜面２３を形成し、その形成する斜面２３の傾斜角度θに応じて変化する凹部１７での光の反射具合の変化による濃淡視感性をパイル面に付与する。【選択図】図２
2015204936.tif 000002
【特許請求の範囲】
【請求項１】
（１）  熱可塑性合成繊維に成るパイル繊維（１１）で構成されるパイル糸を基布（１９）に差し込んでパイルを形成したパイル布帛を表面材とするカーペットであり、（２）
レーザー光線が照射されて加熱され、パイル繊維（１１）の先端が熱溶融して窪み、パイル繊維（１１）の溶融塊が表面に固着した凹部（１７）がパイル面（１５）に形成されており、（３）  基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が内部に形成されている凹部（１７）がパイル面（１５）に存在する濃淡視感性カーペット。
【請求項２】
傾斜方向（Ｓ）が異なる複数種類の何れかの斜面（２３ａ・２３ｂ・２３ｃ・２３ｄ）が内部に形成されている凹部（１７）がパイル面（１５）に存在する請求項１の濃淡視感性カーペット。
【請求項３】
傾斜角度（θ）が異なる複数種類の何れかの斜面（２３ａ・２３ｅ）が内部に形成されている凹部（１７）がパイル面（１５）に存在する請求項１と２の何れかの濃淡視感性カーペット。
【請求項４】
基布（１９）に対して平行な底面（２８）が内部に形成されている凹部（１７）がパイル面（１５）に存在する請求項１と２と３の何れかの濃淡視感性カーペット。
【請求項５】
パイル繊維（１１）が繊維ポリマーに顔料を練り込んで紡糸された原着熱可塑性合成繊維である請求項１と２と３と４の何れかの濃淡視感性カーペット。
【請求項６】
矩形に縁取られている請求項１と２と３と４と５の何れかの濃淡視感性カーペット。
【請求項７】
矩形に縁取られたパイル布帛（１４）の一辺、二辺、三辺、又は、全周四辺が凹部（１７）によって描出されるボーダー柄（８１）に装飾されている請求項６のカーペット。
【請求項８】
ボーダー柄（８１）がパイル布帛（１４）の周辺に沿って密接して連続する凹部（１７）によって描出される連続柄（８２）に装飾されている請求項７のカーペット。
【請求項９】
レーザー光線（２０）の照射箇所が走査痕跡として幅０．３〜２．５ｍｍの細線となって残る走査方向（Ｘ）の直角方向（Ｙ）に、走査方向（Ｘ）に平行な複数条の細線が緻密に並んだ凹部（１７）が、レーザー光線の走査方向（Ｘ）に連なる走査地帯（３１）を形成している請求項６のカーペット。
【請求項１０】
走査地帯（３１）のレーザー光線の走査方向（Ｘ）に隣り合う凹部（１７）と凹部（１７）が密接して帯状に連なっている請求項９のカーペット。
【請求項１１】
走査地帯（３１）のレーザー光線の走査方向（Ｘ）に隣り合う凹部（１７）と凹部（１７）の間に隙間があって、その走査方向（Ｘ）に凹部（１７）が飛び飛びに飛び石状に連なっている請求項９のカーペット。
【請求項１２】
カーペットが矩形に縁取られており、その矩形の直交する二辺のそれぞれに平行に走査地帯（３１）が形成されている請求項９、１０、１１の何れかのカーペット。
【請求項１３】
カーペットのパイル面がレーザー光線の照射を受けて加熱され、パイル繊維の先端が熱溶融して窪み、パイル繊維の溶融塊が表面に固着した凹部（１７）がパイル面（１５）に形成されており、基布（１９）に対して２０度以下のレーザー光線の照射光量に応じた傾斜角度（θ）で傾斜し、その傾斜方向（Ｓ）に傾斜の頂点（２６）から傾斜の底点（２７）へと続くレーザー光線の照射光量に応じた長さ（Ｌ）が１５ｍｍ以上の斜面（２３）が凹部の内部に形成されている請求項９、１０、１１、１２の何れかのカーペット。
【請求項１４】
凹部（１７）によって視覚障害者を誘導する点字標識（９１）がパイル面（１５）に表示されている請求項６のカーペット。
【請求項１５】
パイル布帛のパイル面がレーザー光線の照射を受けて加熱され、パイル繊維の先端が熱溶融して窪み、パイル繊維の溶融塊が表面に固着した凹部（１７）がパイル面（１５）に形成されており、基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が凹部（１７）の内部に形成されている請求項１４のカーペット。
【請求項１６】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向Ｗに連ねるパイル布帛の仕上加工の過程において、パイル布帛（１４）の搬送速度を間欠的に変え、レーザー光線を常時パイル面に向けて照射し続け、（１）  パイル布帛の低速搬送箇所にはレーザー光線の走査方向（Ｘ）の直角方向（Ｙ）に凹部（１７）が緻密に並んでレーザー光線の走査方向（Ｘ）に続く走査地帯（３１）を形成し、（２）  パイル布帛の高速搬送箇所を、レーザー光線（２０）の照射箇所をパイル布帛の搬送方向（Ｚ）を斜めに横切るパイル布帛の斜め方向に移動させ、高速搬送箇所における凹部（１７）の発生密度を粗くし、高速搬送箇所の凹部を目立たなくし、以て、走査地帯（３１）に比して高速搬送箇所の凹部の発生密度が粗く、且つ、走査地帯の凹部に比して高速搬送箇所を相対的に隆起させ、パイル布帛の搬送方向（Ｚ）の直角方向（Ｗ）に続く凸部（１８）として高速搬送箇所を残すカーペットの仕上加工法。
【請求項１７】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向（Ｗ）に連ねるパイル布帛の仕上加工の過程において、レーザー光線をパイル面に間欠的に照射すると共にパイル布帛（１４）の搬送速度を間欠的に変え、（１）  レーザー光線の照射時には、パイル布帛を低速搬送し、レーザー光線の走査方向（Ｘ）の直角方向（Ｙ）に凹部（１７）が緻密に並んでレーザー光線の走査方向（Ｘ）に続く走査地帯（３１）を形成し、（２）  レーザー光線の照射停止時には、パイル布帛を高速搬送し、そのパイル布帛の高速搬送箇所を、凹部（１７）が形成されず、凹部（１７）が形成されている走査地帯（３１）に比して相対的に隆起してパイル布帛の搬送方向（Ｚ）に続く凸部（１８）として残すカーペットの仕上加工法。
【請求項１８】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向（Ｗ）に連ねるカーペットの仕上加工の過程において、レーザー光線を間欠的に照射し、（１）  レーザー光線の照射時には、レーザー光線の走査方向（Ｘ）の直角方向（Ｙ）に凹部（１７）が緻密に並んでレーザー光線の走査方向（Ｘ）に続く走査地帯（３１）を形成し、（２）  レーザー光線の照射停止時には、パイル布帛（１４）を高速に搬送して走査地帯（３１）の凹部（１７）に比して相対的に隆起して搬送方向（Ｚ）の直角方向（Ｗ）に続くパイル面を凸部（１８）として残すカーペットの仕上加工法。
【発明の詳細な説明】
【技術分野】
【０００１】
本発明は、屋内外の出入口に置き敷きして出入口を通過する歩行者の靴裏に付着している塵埃を捕捉するために使用されるタフテッドパイル布帛を表面材とするカーペットに関するものである。
【背景技術】
【０００２】
パイル面が無模様で一色の無地パイル布帛の外観は、周囲何れの方角から見ても同じと考えられるが、パイルは僅かながらも何れか一定方向に傾斜しており、見る方角によってパイル面の色調は僅かながらも濃淡変化する。
そのようにパイル面には視感的方向があることから、パイルの傾斜方向に合わせて施工し易くするために、タイルカーペットの裏面に方向表示を施すことは公知である（例えば、特許文献１，２参照）。
【０００３】
又、パイルの傾斜方向は一定であるべきところ、時としてパイル面の一部の領域では周囲の他の領域のパイルの傾斜方向とは異なる方向にパイルが傾斜し、その傾斜方向の差異によってパイル面の一部の領域と周囲の他の領域との間の色調に濃淡差が発生することがある。
このように全面が無模様一色であるべきパイル面の一部の領域と周囲の他の領域との間に視感的濃淡差が起きる現象は、”池”とか”雲”或いは”シェディング・影”と称されている（例えば、特許文献３，４参照）。
このようなパイルの傾斜具合によって起きる視感的現象は、パイル面に図柄模様を描出する”ヘタラシ技法”として利用されている（例えば、特許文献５，６参照）。
【０００４】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段も公知である（例えば、特許文献７参照）。
【０００５】
視覚障害者を誘導する点字標識を表示するために、パイル面に積層した塩化ビニル樹脂層の表面をエンボスして表示したバーコードを透明樹脂で被覆すること（例えば、特許文献８参照）、或いは、パイル布帛に穿設した貫通孔に点字鋲を螺着することは公知である（例えば、特許文献９参照）。
【先行技術文献】
【特許文献】
【０００６】
【特許文献１】実開昭６１−９５３７７号公報（実公平０１−３９５０２）
【特許文献２】特開２００５−１２７１１３号公報（特許第４５５４１８８号）
【特許文献３】特公昭４９−２４８４０号公報
【特許文献４】特公昭６０−１０７２３号公報
【特許文献５】実公昭５８−１９１８８号公報
【特許文献６】特開平０６−３３０４５６号公報
【特許文献７】特開２００７−２２２９０２号公報
【特許文献８】特開平１０−１０２４４２号公報
【特許文献９】特開平１１−３０３０３０号公報（特許第３８３０２７５号）
【発明の概要】
【発明が解決しようとする課題】
【０００７】
ヘタラシ技法による図柄模様は、パイルの根元を係止する基布の織組織を部分的に変えて基布に係止されるパイルの傾斜角度を部分的に変えることによって描出される。
しかし、例えばタフテッドパイル布帛のように基布から突き出た長さ５ｍｍ以上の長いパイルが緻密に植設されているパイル布帛では、全てのパイル糸がＵ字形に折れ曲がって基布に差し込まれており、そのＵ字形に折れ曲がったパイルの根元の形状を部分的に変えることは出来ず、緻密に植設されている一部のパイルを押し倒してパイルの傾斜角度を部分的に変えることも出来ず、ヘタラシ技法によって所要の図柄模様をパイル面に描出することは出来ない。
【０００８】
そこで本発明は、パイル長Ｈが５ｍｍ以上のタフテッドパイル布帛のパイル面にヘタラシ技法による図柄と同様に視感的濃淡差による図柄模様を描出することを目的とする。
【課題を解決するための手段】
【０００９】
本発明に係るカーペットは、（１）  熱可塑性合成繊維に成るパイル繊維１１で構成されるパイル糸を基布１９に差し込んでパイルを形成したパイル布帛を表面材とし、（２）  そのパイル面１５に、レーザー光線に加熱されてパイル繊維の先端が熱溶融して窪み、その溶融塊が表面に固着した凹部１７が形成されており、（３）  その凹部に、基布に対して２０度以下の傾斜角度θで傾斜し、その傾斜方向Ｓに傾斜の頂点２６から傾斜の底点２７へと続く長さＬが１５ｍｍ以上の斜面２３が形成されていることを特徴とする（図１〜５，図１３参照）。
【発明の効果】
【００１０】
熱可塑性合成繊維（１１）は、加熱されて溶融し溶融塊を形成する過程では、熱溶融した繊維ポリマーに作用する表面張力によって溶融塊が丸味を帯びて脹らみ、その脹らんだ分だけパイル繊維１１の先端が短くなって窪みが発生する。
その溶融塊とパイル面のレーザー光線に加熱されない部分の未加熱パイル繊維の先端とは形状が相異し、未加熱パイル繊維の先端に比して太く丸味を帯びた溶融塊は光沢を帯び、溶融塊が固着した凹部１７とレーザー光線に加熱されずに残って凹部に対して相対的に隆起している凹部の周囲の凸部１８の間には少なくとも光沢差による視感的濃淡が発生する。
【００１１】
斜面の頂点と底点とではパイル繊維の先端の収縮量と溶融塊の質量が異なり、深く窪んだ底点のパイル繊維は凹部の深さに応じて大きく収縮しているので、その深く窪んだ底点２７に介在する溶融塊の質量も多くなる一方、窪みの浅い頂点のパイル繊維の収縮は少なく、その収縮の少ない頂点２６に介在する溶融塊の質量は相対的に少なくなるので、斜面の頂点と底点との間には溶融塊の分布量に応じてなだらか変化した光沢差が生じる。
【００１２】
凹部には硬い溶融塊がパイル層に押し上げられて介在し、靴裏は硬い溶融塊に擦られ、靴裏に付着している塵埃は硬い溶融塊に掻き取られるので、高い塵埃捕捉機能が要求されるダストコントロールマットに好適なカーペットが得られる。
【図面の簡単な説明】
【００１３】
【図１】本発明に係るカーペットの断面側面図である。
【図２】本発明に係るカーペットの断面斜視図である。
【図３】本発明に係るカーペットの断面斜視図である。
【図４】本発明に係るカーペットの断面斜視図である。
【図５】本発明に係るカーペットの平面図である。
【図６】本発明に係るカーペットの表面図である。
【図７】本発明に係るカーペットの表面図である。
【図８】本発明に係るカーペットの表面図である。
【図９】本発明に係るカーペットの表面図である。
【図１０】本発明に係るカーペットの表面図である。
【図１１】本発明に係るカーペットの表面図である。
【図１２】本発明に係るカーペットの表面図である。
【図１３】本発明に係るカーペットの要部斜視図である。
【図１４】本発明に係るカーペットの製造過程での斜視図である。
【図１５】本発明に係るカーペットの製造過程での斜視図である。
【図１６】本発明に係るカーペットの製造過程での斜視図である。
【図１７】本発明に係る点字ブロック用カーペットの平面図である。
【図１８】本発明に係る点字ブロック用カーペットの平面図である。
【図１９】本発明に係る点字ブロック用カーペットの平面図である。
【図２０】本発明に係る点字ブロック用カーペットの平面図である。
【図２１】本発明に係る点字ブロック用カーペットの要部斜視図である。
【図２２】本発明に係るカーペットの製造工程図である。
【発明を実施するための形態】
【００１４】
本発明において、斜面２３の傾斜角度θが２０度以下、即ち、傾斜方向Ｓにおける斜面の頂点２６から底面２８の底点２７に到る傾斜長さＬで頂点２６から底点２７に到る底面２８の深さＫを除して示される傾斜角度θの正接函数ｔａｎθが０．３６３９７０２（＝ｔａｎ２０°）以下とは、４５度以上の傾斜角度をもってパイル層に刻み込まれるＶ字形切込溝によって描出される所謂”カービング”は、本発明の予期する効果をもたらさず、本発明の対象外になることを意味する。
【００１５】
斜面の頂部２６と底部２７との間の光沢変化と濃淡変化をなだらかにするためには、傾斜角度θを１０度以下、即ちｔａｎθ＝０．１７６（＝ｔａｎ１０°）以下に、更に好ましくは、傾斜角度θを５度以下、即ちｔａｎθ＝０．０８７５（＝ｔａｎ５°）以下にすることが望ましい。
【００１６】
そのように傾斜角度θの少ない凹部は浅く、斜面に分布する溶融塊の粒径が細かく、分布量も少なく、パイル面の真上からは凹部１７と凸部１８との間の濃淡差が看取されても、視線とパイル面との間の視覚が３０度以下となる遠方からは凹部１７と凸部１８との間の濃淡差は左程看取されず、歩行者が凹部１７を通過する過程で凹部１７によってパイル面に描かれた図柄が見え隠れする度合いが大きくなり、カーペットの美観が高まる。
【００１７】
見え隠れする度合いの大きい図柄は、歩行者の注意を喚起し、塵埃の拭き取りを促す点でもダストコントロールマットに適した塵埃捕捉機能の高いカーペットが得られる。
従って、斜面２３の傾斜角度θは凹部１７と凸部１８との段差（Ｋ）が感じられない程度に極僅か、即ち５度（ｔａｎ５°＝０．０８７５）以下にすることが望ましい。
車椅子やキャリヤカーの移動の妨げにならないようにするには、凹部１７と凸部１８との段差（Ｋ）を５ｍｍ以下にすることが望ましい（図１参照）。
原着パイル繊維が形成する溶融塊は、その質量に応じて原着顔料の含有量も変化するので、斜面の頂点２６と底点２７の間には色相上のなだらかな濃淡差も生じる。
そして斜面２３の傾斜角度θに応じて光の反射角度も変化する。
【００１８】
このように光沢と濃淡が変化し且つその変化の度合いの異なる斜面２３ａ・２３ｂ・２３ｃ・２３ｄ・２３ｅ………が散在し、それらの斜面２３の形成されている凹部１７と凸部１８とでは光沢だけではなく色調にも濃淡差が生じ、それらの間の光沢と濃淡差によって、ヘタラシ図柄と同様の視感的図柄が描出され、カーペットの美観が高まる（図１〜５参照）。
凹部の内部の入隅２４と出隅２５や下坂３０と上坂２９では光の反射方向が変化するので、歩行者が凹部１７の上を通過する過程で目に映るパイル面の美観が刻々変化する（図２参照）。
【００１９】
従って、本発明の好ましい第１の実施態様は、傾斜方向Ｓが異なる複数種類の何れかの斜面２３ａ・２３ｂ・２３ｃ・２３ｄが内部に形成されている複数種類の凹部１７をパイル面１５に形成することである。その複数種類の凹部は、傾斜方向Ｓが異なる複数種類の斜面が一緒に介在する凹部であってもよいし、例えば、ある凹部の斜面は左向き、別の凹部の斜面は右向き、他の別の凹部の斜面は後ろ向きと言うように、傾斜方向Ｓがそれぞれ異なる複数種類の斜面が個々に介在する複数の凹部であってもよい（図２参照）。
【００２０】
本発明の好ましい第２の実施態様は、傾斜角度θが異なる複数種類の何れかの斜面２３ａ・２３ｅが内部に形成されている複数種類の凹部１７をパイル面１５に形成することである。その複数種類の凹部は、傾斜方向Ｓが異なる複数種類の斜面と同様に、傾斜角度θが異なる複数種類の斜面が一緒に介在する凹部であってもよいし、傾斜角度θがそれぞれ異なる複数種類の斜面が個々に介在する複数の凹部であってもよい（図１〜２参照）。
【００２１】
本発明の好ましい第３の実施態様は、基布１９に対して平行な底面２８が内部に介在する凹部をパイル面１５に形成することである。その凹部１７の内部の底面２８の広さは、直径Ｒが５〜７０ｍｍの円が底面２８に内接する程度であればよい（図１参照）。
【００２２】
凹部１７の内部には、底面２８から隆起した丘陵３２を設けることも出来る（図１、図２、図４参照）。
凹部１７の内部には、河岸段丘や棚田のようにパイル面からの深さＫが段階的に変化した平面を形成することも出来る。
図５は、内部が基布１９に平行な十文字形の底面２８によって四区画（３３ａ、３３ｂ、３３ｃ、３３ｄ）に分割され、各区画３３を斜めに横切る出隅２５によって傾斜方向Ｓが互いに逆向きとなる二つの三角形斜面２３ａ、２３ｂに区切られた矩形凹部１７が格子状に配置されたカーペットを図示している。
パイル面１５には図柄模様の表現を豊かにするため、傾斜角度が４０度以上となるカービングによる柄際の縁取りや、周囲を囲む傾斜方向が異なる斜面２３ａ・２３ｂ・２３ｃ・２３ｄと底面２８の間の段差（図３参照）や十文字形の底面２８の四隅と凹部１７を囲むパイル面（凸部１８）の間の段差（図５参照）のように斜面のない段差（ステップ）に底面が囲まれた凹部、或いは、傾斜角度θが２０度を越える斜面を設けることが出来る。
このように凹部の形態を多様にすることによって視感的濃淡が鮮やかに現れ、変化に飛んだ見え隠れする図柄模様をパイル面に表現することが出来る。
【００２３】
斜面２３の長さＬや傾斜角度θ、傾斜方向Ｓの異なる種々の輪郭の凹部１７は、パイル布帛をレーザー光線照射装置に通し、パイル面をレーザー光線によって瞬間的に加熱し、パイル繊維の先端を熱溶融させて窪ませ、その溶融塊を固着させて形成し、その過程においてレーザー光線の照射光量を変え、その光量変化に応じて斜面の長さＬを１５ｍｍ以上にし、基布１９に対する傾斜角度θを２０度以下にし、傾斜方向Ｓを変える。
【００２４】
本発明の好ましい他の実施態様は、カーペットを矩形に縁取り、ダストコントロールマットに仕上げることである。
矩形に裁断されたカーペットでは、その裁断されて矩形に縁取られたパイル布帛１４の一辺（図６参照）、二辺（図参照７）、三辺（図８参照）、又は、全周四辺（図９参照）が凹部１７によって描出されるボーダー柄８１を設ける。
そのボーダー柄８１は、パイル布帛１４の周辺に沿って密接して連続する凹部１７によって描出される連続柄８２とすることが出来る。
【００２５】
パイル面に発生した溶融塊は、パイル繊維に比して硬く、パイル層に弾性的に押し上げられてパイル面に介在しているので、パイル布帛をカーペットとして長く続く通路や廊下に敷き込んで使用する場合は、歩行者の靴裏に付着している塵埃を掻き取る塵埃捕捉機能を発揮する。
【００２６】
その塵埃捕捉機能は、長く続く通路や廊下の出入口に付与すれば充分であり、長く続くカーペット全体が汚染されずに済み、カーペットの清掃も楽になる。
従って、裁断されて矩形に縁取られたカーペットでは、その一辺（図６参照）、二辺（図７参照）、三辺（図８参照）、又は、全周四辺（図９参照）にボーダー柄８１を凹部１７によって描出すると実用的である。
【００２７】
レーザー光線照射装置では、搬送される長尺資材の幅方向にレーザー光線が走査しており、そのレーザー光線の照射箇所が走査痕跡として長尺資材の表面に残るようになっている。
パイル長が５ｍｍ以上のパイルが緻密に植設されたパイル面に発生するレーザー光線の走査痕跡は、レーザー光線の走査方向に続く幅０．３〜２．５ｍｍの細線となって現れる。
その細線がパイル布帛の搬送方向Ｚに緻密に並んだ箇所が凹部１７となってパイル面に現れる。
【００２８】
パイル布帛１４をレーザー光線照射装置６３に通す場合、先ずパイル布帛１４をスプレー装置６１に通してパイル面にパイル繊維に比して熱溶融し難い耐熱性と水洗性を有する塗膜形成能を有する耐熱水洗性水性塗料５１を塗布し、その耐熱水洗性水性塗料５１をパイル繊維の先端とパイル繊維の先端の間の隙間に充填すると共に隣り合うパイルとパイルの間の隙間をも充填し、次いで乾燥機６２に通して耐熱水洗性水性塗料５１の塗膜を乾燥し、その乾燥塗膜によってパイル繊維間の隙間とパイル間の隙間を固定してからレーザー光線照射装置６３に通してレーザー光線を照射する（図２２参照）。
次いで、洗浄装置６４に通して耐熱水洗性水性塗料５１の乾燥塗膜を水洗除去し、乾燥機６５に通してパイル布帛１４を乾燥する（図２２参照）。
【００２９】
そのようにレーザー光線照射装置６３に通す前に耐熱水洗性水性塗料５１の乾燥塗膜によってパイル繊維間の隙間とパイル間の隙間を充填しておくと、大きい溶融塊が発生せず、パイル繊維間の隙間やパイル間の隙間が溶融塊に塞がれず、カーペットが好風合いに仕上がる。
耐熱水洗性水性塗料５１には、耐熱水洗性成分として硼砂、硼酸、硫酸アンモニウム、酢酸カリウム、塩化マグネシウム、二酢酸マグネシウネム・４水和物、酢酸ナトリウム、塩化ナトリウム、炭酸水素ナトリウム、珪酸ナトリウムの中から選択される何れかの水溶性無機質化合物を配合し、又、バインダー成分を兼ねた粘度調整成分としてアルギン酸ナトリウムを配合するとよい。
【００３０】
パイル布帛１４の裏面には、パイル繊維１１を基布１９に固定するための裏打ち用接着剤が適宜塗布される。
【００３１】
カーペットには、レーザー光線２０の照射箇所が走査痕跡として幅０．３〜２．５ｍｍの細線となって残る走査方向Ｘの直角方向Ｙに、走査方向Ｘに平行な複数条の細線が緻密に並んだ凹部１７が、レーザー光線の走査方向Ｘに連なる走査地帯３１を形成するとよい。
【００３２】
その走査地帯３１では、レーザー光線の走査方向Ｘに隣り合う凹部１７・１７を密接させて帯状に連ねることが出来る。
【００３３】
走査地帯３１では、レーザー光線の走査方向Ｘに隣り合う凹部１７と凹部１７の間に隙間を設け、凹部１７を飛び飛びに飛び石状に連ねることも出来る。
【００３４】
矩形に縁取られたカーペットでは、その矩形の直交する二辺のそれぞれに平行に走査地帯３１を設けるとよい。
【００３５】
レーザー光線照射装置に通して凹部１７を形成する場合、レーザー光線が照射されて加熱され、パイル繊維の先端が熱溶融して窪み、パイル繊維の溶融塊が表面に固着した凹部１７がパイル面１５に形成されるが、その凹部１７の内部には、基布１９に対して２０度以下の傾斜角度θで傾斜し、その傾斜方向Ｓに傾斜の頂点２６から傾斜の底点２７へと続く長さＬが１５ｍｍ以上の斜面２３を形成するとよい（図１，図１３，図２１参照）。
【００３６】
レーザー光線照射装置に通す場合、レーザー光線照射装置では搬送される長尺資材の幅方向にレーザー光線が走査し、そのレーザー光線の照射箇所の走査痕跡を長尺資材の表面に残すようにレーザー光線照射装置のレーザー光線照射箇所にパイル布帛を通してパイル繊維を加熱溶融して溶融塊が固着した凹部１７をパイル布帛の幅方向Ｗに連ねるカーペットの仕上加工の過程において（図１０〜１１参照）、パイル布帛１４の搬送速度を間欠的に変え、レーザー光線を常時パイル面に向けて照射し続け、（１）  パイル布帛の低速搬送箇所にはレーザー光線の走査方向Ｘの直角方向Ｙに凹部１７が緻密に並んでレーザー光線の走査方向Ｘに続く走査地帯３１を形成し、（２）  パイル布帛の高速搬送箇所を、レーザー光線２０の照射箇所をパイル布帛の搬送方向（Ｚ）を斜めに横切るパイル布帛の斜め方向に移動させ、高速搬送箇所における凹部１７の発生密度を粗くし、高速搬送箇所の凹部１７を目立たなくし（図１４参照）、以て、走査地帯３１に比して高速搬送箇所の凹部１７の発生密度が粗く、且つ、走査地帯の凹部１７に比して高速搬送箇所を相対的に隆起させ、パイル布帛の搬送方向Ｚの直角方向Ｗに続く凸部１８として高速搬送箇所を残すようにするとよい（図１４参照）。
【００３７】
レーザー光線照射装置のレーザー光線照射箇所にパイル布帛を通してパイル繊維を加熱溶融して溶融塊が固着した凹部１７をパイル布帛の幅方向Ｗに連ねるパイル布帛の仕上加工の過程において（図１０〜１１参照）、レーザー光線をパイル面に間欠的に照射すると共にパイル布帛の搬送速度を間欠的に変え、（１）  レーザー光線の照射時には、パイル布帛を低速搬送し（図１５参照）、レーザー光線の走査方向Ｘの直角方向Ｙに凹部１７が緻密に並んでレーザー光線の走査方向Ｘに続く走査地帯３１を形成し（図１４参照）、（２）  レーザー光線の照射停止時には、パイル布帛を高速搬送し（図１５参照）、その高速搬送箇所を、凹部１７が形成されず、凹部１７が形成されている走査地帯３１に比して相対的に隆起してパイル布帛の搬送方向Ｚに続く凸部１８として残してもよい。
【００３８】
レーザー光線照射装置のレーザー光線照射箇所にパイル布帛を通してパイル繊維を加熱溶融して溶融塊が固着した凹部１７をパイル布帛の幅方向Ｗに連ねるカーペットの仕上加工の過程において（図１０〜１１参照）、レーザー光線を間欠的に照射し、（１）  レーザー光線の照射時には、レーザー光線の走査方向Ｘの直角方向Ｙに凹部１７が緻密に並んでレーザー光線の走査方向Ｘに続く走査地帯３１を形成し、（２）  レーザー光線の照射停止時には、パイル布帛１４を高速に搬送して走査地帯３１の凹部１７に比して相対的に隆起して搬送方向Ｚの直角方向（Ｗ）に続くパイル面を凸部１８として残してもよい（図１５参照）。
【００３９】
そのように、搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部１７をパイル布帛の幅方向Ｗに連ねるカーペットの仕上加工の過程において、（１）  パイル布帛１４の搬送速度を間欠的に変え、レーザー光線を常時パイル面に向けて照射し続ける場合、（２）  レーザー光線をパイル面に間欠的に照射すると共にパイル布帛１４の搬送速度を間欠的に変え、レーザー光線の照射時にはパイル布帛１４を低速搬送し、レーザー光線の照射停止時にはパイル布帛１４を高速搬送する場合、（３）  レーザー光線をパイル面に間欠的に照射する場合の何れの場合にも、凹部１７が全面を占める走査地帯３１と凹部１７が殆ど目立たない凸部１８が形成され、その凸部１８がパイル布帛１４を高速に搬送して形成されるので、搬送方向Ｚに占める寸法Ｅの短い走査地帯３１を所定の間隔Ｇで繰り返し形成する場合、その間隔Ｇに占める凸部１８の寸法Ｆが走査地帯３１の寸法Ｅに比して長くなるにつれてカーペットの仕上加工効率が向上する。
【００４０】
このようにして搬送方向Ｚに所定の間隔Ｇで繰り返し走査地帯３１の形成されたパイル布帛を端縁が走査地帯３１に縁取られるように矩形に裁断し、縦横の向きを変えて再びレーザー光線照射装置に通し、その際、（１）  パイル布帛１４の搬送速度を間欠的に変え、レーザー光線を常時パイル面に向けて照射し続け、或いは、（２）  レーザー光線をパイル面に間欠的に照射すると共にパイル布帛１４の搬送速度を間欠的に変え、レーザー光線の照射時にはパイル布帛１４を低速搬送し、レーザー光線の照射停止時にはパイル布帛１４を高速搬送し、或いは、（３）  レーザー光線をパイル面に間欠的に照射することによって、周囲が、走査地帯３１で縁取られたボーダー柄のパイル布帛を効率的に得ることが出来る（図７，図１２，図１６参照）。
【００４１】
図１４〜１６において、符号５３はレーザー光線を発振する発振器、５４はレーザー光線を集光する照射レンズ、５５はレーザー光線を布帛の表面に導く反射板、５６はレーザー光線の光路の距離を演算する光路演算手段を示す。
【００４２】
走査地帯３１では、レーザー光線の走査方向Ｘに隣り合う凹部１７と凹部１７が密接して帯状に連なっていてもよいし（図１０参照）、隣り合う凹部１７と凹部１７の間に隙間があって、凹部１７が飛び飛びに飛び石状に連なっていてもよい（図１１参照）。
【００４３】
パイル面に形成されるパイル繊維の溶融塊は、パイル繊維よりも硬く、パイル層に押し上げられるようにパイル面に介在して靴裏に触れるので、パイル繊維の溶融塊の有無は視覚障害者に感知され易く、その溶融塊が表面に固着した凹部１７によってパイル面１５に表示された標識は点字標識９１として視覚障害者に解読され易く、その点字標識９１によって視覚障害者を誘導することが出来る。
【００４４】
その点字標識９１は、パイル面に積層された樹脂層と異なってパイル面から剥離脱落することがなく、又、パイル布帛に螺着された点字鋲と異なってパイル布帛を引き裂く危険もなく、素足が触れて擦り傷を負う危険もなく安全である。
【００４５】
従って、本発明のパイル布帛は、凹部１７によって視覚障害者を誘導する点字標識９１がパイル面１５に表示した視覚障害者用点字ブロックに好適である（図１５〜１８参照）。
【００４６】
レーザー光線を照射してパイル面を加熱し、パイル繊維の先端が熱溶融して窪み、溶融塊が表面に固着した凹部１７を形成して点字ブロックを製造する場合、凹部１７の内部には基布１９に対して２０度以下の傾斜角度θで傾斜し、その傾斜方向Ｓに傾斜の頂点２６から傾斜の底点２７へと続く長さＬが１５ｍｍ以上の斜面２３を形成すると、視覚健常者が見てもデザイン的に優れた誘導ブロックが得られる。
【実施例】
【００４７】
（パイル布帛）
目付け１２０ｇ／ｍ2 のポリエステル繊維性不織布を基布とし、単繊維繊度が１０ｄｔｅｘで総繊度が１３７０ｄｔｅｘの原着ナイロン繊維マルチフイラメント糸をパイル糸とし、ニードル間ゲージ２５．４ｍｍ（１／８吋ゲージ）のカットパイル用タフテッド機においてパイル植設密度（ステッチゲージ）を９ステッチ／２５．４ｍｍとしてタフティングし、パイル長１０ｍｍ・パイル目付け９００ｇ／ｍ2 のタフテッドパイル布帛を得た。
【００４８】
（仕上加工）
このパイル布帛の裏面にプレコートとしてニトリルブタジエンラテックスコンパウンドを塗布して乾燥し、次いでパイル面に硼砂と炭酸水素ナトリウムとアルギン酸ナトリウムを主材とする固形分濃度５質量％の前処理剤水溶液をスプレー装置によって３００ｇ／ｍ2 塗布して乾燥し、平均出力が８００Ｗでレーザー光線の波長が１０．６μｍ、レーザー光線移動速度４０００ｍｍ／分、マーク線太さ０．４ｍｍのイタリヤ・ハイテック社製の炭酸ガスレーザー光線照射装置に通してレーザー光線を模様状に照射し、パイル面のパイル繊維を加熱して溶融塊を模様状にパイル面に形成し、次いで、水洗して前処理剤を洗浄除去し、乾燥機に通して仕上げた。
【００４９】
（仕上がり状態）
前処理剤水溶液のスプレー乾燥後のカットパイルは、先端が前処理剤の乾燥塗膜に固められて尖端形を成しており、その先端だけがレーザー光線に加熱されて溶融塊が発生し、その溶融塊によって尖端形にセットされ、水洗されて前処理剤の固形分が溶解除去されてカットパイルが膨らみを回復してペンシルポイント形を呈した。
レーザー光線の照射時にレーザー光線の出力を変化させた凹部には、カットパイルの先端のパイル繊維の熱収縮の度合いの変化によって斜面が形成された。
【産業上の利用可能性】
【００５０】
本発明によって得られるパイル布帛は、カーマット（車両足元マット）、ダストコントロールマット、カーペット、タイルカーペット等の敷物類に利用される。
【符号の説明】
【００５１】
１１：パイル繊維
１４：パイル布帛
１５：パイル面
１７：凹部
１８：凸部
１９：基布
２０：レーザー光線
２３：斜面
２４：入隅
２５：出隅
２６：頂点
２７：底点
２８：底面
２９：上坂
３０：下坂
３１：走査地帯
３２：丘陵
３３：区画
５３：発振器
５４：照射レンズ
５５：反射板
５６：演算装置
６１：スプレー装置
６２：乾燥機
６３：照射装置
６４：洗浄装置
６５：乾燥機
８１：ボーダー柄
８２：連続柄
９１：点字標識
Ｅ  ：ボーダー幅
Ｆ  ：ボーダー間隔
Ｇ  ：間隔
Ｈ  ：パイル長
Ｋ  ：深さ
Ｌ  ：傾斜長さ
Ｒ  ：内接円直径
Ｓ  ：傾斜方向
Ｗ  ：搬送方向の直角方向（幅方向）
Ｘ  ：走査方向
Ｙ  ：直角方向
Ｚ  ：搬送方向（長さ方向）
θ  ：傾斜角度
【図１】
2015204936.tif 000003
【図２】
2015204936.tif 000004
【図３】
2015204936.tif 000005
【図４】
2015204936.tif 000006
【図５】
2015204936.tif 000007
【図６】
2015204936.tif 000008
【図７】
2015204936.tif 000009
【図８】
2015204936.tif 000010
【図９】
2015204936.tif 000011
【図１０】
2015204936.tif 000012
【図１１】
2015204936.tif 000013
【図１２】
2015204936.tif 000014
【図１３】
2015204936.tif 000015
【図１４】
2015204936.tif 000016
【図１５】
2015204936.tif 000017
【図１６】
2015204936.tif 000018
【図１７】
2015204936.tif 000019
【図１８】
2015204936.tif 000020
【図１９】
2015204936.tif 000021
【図２０】
2015204936.tif 000022
【図２１】
2015204936.tif 000023
【図２２】
2015204936.tif 000024
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
（１）  熱可塑性合成繊維に成るパイル繊維（１１）で構成されるパイル糸を基布（１９）に差し込んでパイルを形成したパイル布帛を表面材とするカーペットであり、（２）
レーザー光線が照射されて加熱され、パイル繊維（１１）の先端が熱溶融して窪み、パイル繊維（１１）の溶融塊が表面に固着した凹部（１７）がパイル面（１５）に形成されており、（３）  基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が内部に形成されている凹部（１７）がパイル面（１５）に存在する濃淡視感性カーペット。
【請求項２】
傾斜方向（Ｓ）が異なる複数種類の何れかの斜面（２３ａ・２３ｂ・２３ｃ・２３ｄ）が内部に形成されている凹部（１７）がパイル面（１５）に存在する請求項１の濃淡視感性カーペット。
【請求項３】
傾斜角度（θ）が異なる複数種類の何れかの斜面（２３ａ・２３ｅ）が内部に形成されている凹部（１７）がパイル面（１５）に存在する請求項１と２の何れかの濃淡視感性カーペット。
【請求項４】
基布（１９）に対して平行な底面（２８）が内部に形成されている凹部（１７）がパイル面（１５）に存在する請求項１と２と３の何れかの濃淡視感性カーペット。
【請求項５】
パイル繊維（１１）が繊維ポリマーに顔料を練り込んで紡糸された原着熱可塑性合成繊維である請求項１と２と３と４の何れかの濃淡視感性カーペット。
【請求項６】
矩形に縁取られており、レーザー光線（２０）の照射箇所が走査痕跡として幅０．３〜２．５ｍｍの細線となって残る走査方向（Ｘ）の直角方向（Ｙ）に、走査方向（Ｘ）に平行な複数条の細線が緻密に並んだ凹部（１７）が、レーザー光線の走査方向（Ｘ）に連なる走査地帯（３１）を形成している請求項１と２と３と４と５の何れかの濃淡視感性カーペット。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
（１）  熱可塑性合成繊維に成るパイル繊維（１１）で構成されるパイル糸を基布（１９）に差し込んでパイルを形成したパイル布帛を表面材とするカーペットであり、（２）
レーザー光線が照射されて加熱され、パイル繊維（１１）の先端が熱溶融して窪み、パイル繊維（１１）の溶融塊が表面に固着した凹部（１７）がパイル面（１５）に形成されており、（３）  基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が内部に形成されている凹部（１７）がパイル面（１５）に存在する濃淡視感性カーペット。
【請求項２】
傾斜方向（Ｓ）が異なる複数種類の何れかの斜面（２３ａ・２３ｂ・２３ｃ・２３ｄ）が内部に形成されている凹部（１７）がパイル面（１５）に存在する請求項１の濃淡視感性カーペット。
【請求項３】
傾斜角度（θ）が異なる複数種類の何れかの斜面（２３ａ・２３ｅ）が内部に形成されている凹部（１７）がパイル面（１５）に存在する請求項１と２の何れかの濃淡視感性カーペット。
【請求項４】
基布（１９）に対して平行な底面（２８）が内部に形成されている凹部（１７）がパイル面（１５）に存在する請求項１と２と３の何れかの濃淡視感性カーペット。
【請求項５】
パイル繊維（１１）が繊維ポリマーに顔料を練り込んで紡糸された原着熱可塑性合成繊維である請求項１と２と３と４の何れかの濃淡視感性カーペット。
【手続補正２】
【補正対象書類名】明細書
【補正対象項目名】全文
【補正方法】変更
【補正の内容】
【発明の詳細な説明】
【技術分野】
【０００１】
本発明は、屋内外の出入口に置き敷きして出入口を通過する歩行者の靴裏に付着している塵埃を捕捉するために使用されるタフテッドパイル布帛を表面材とするカーペットに関するものである。
【背景技術】
【０００２】
パイル面が無模様で一色の無地パイル布帛の外観は、周囲何れの方角から見ても同じと考えられるが、パイルは僅かながらも何れか一定方向に傾斜しており、見る方角によってパイル面の色調は僅かながらも濃淡変化する。そのようにパイル面には視感的方向があることから、パイルの傾斜方向に合わせて施工し易くするために、タイルカーペットの裏面に方向表示を施すことは公知である（例えば、特許文献１，２参照）。
【０００３】
又、パイルの傾斜方向は一定であるべきところ、時としてパイル面の一部の領域では周囲の他の領域のパイルの傾斜方向とは異なる方向にパイルが傾斜し、その傾斜方向の差異によってパイル面の一部の領域と周囲の他の領域との間の色調に濃淡差が発生することがある。このように全面が無模様一色であるべきパイル面の一部の領域と周囲の他の領域との間に視感的濃淡差が起きる現象は、”池”とか”雲”或いは”シェディング・影”と称されている（例えば、特許文献３，４参照）。このようなパイルの傾斜具合によって起きる視感的現象は、パイル面に図柄模様を描出する”ヘタラシ技法”として利用されている（例えば、特許文献５，６参照）。
【０００４】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段も公知である（例えば、特許文献７参照）。
【０００５】
視覚障害者を誘導する点字標識を表示するために、パイル面に積層した塩化ビニル樹脂層の表面をエンボスして表示したバーコードを透明樹脂で被覆すること（例えば、特許文献８参照）、或いは、パイル布帛に穿設した貫通孔に点字鋲を螺着することは公知である（例えば、特許文献９参照）。
【先行技術文献】
【特許文献】
【０００６】
【特許文献１】実開昭６１−９５３７７号公報（実公平０１−３９５０２）
【特許文献２】特開２００５−１２７１１３号公報（特許第４５５４１８８号）
【特許文献３】特公昭４９−２４８４０号公報
【特許文献４】特公昭６０−１０７２３号公報
【特許文献５】実公昭５８−１９１８８号公報
【特許文献６】特開平０６−３３０４５６号公報
【特許文献７】特開２００７−２２２９０２号公報
【特許文献８】特開平１０−１０２４４２号公報
【特許文献９】特開平１１−３０３０３０号公報（特許第３８３０２７５号）
【発明の概要】
【発明が解決しようとする課題】
【０００７】
ヘタラシ技法による図柄模様は、パイルの根元を係止する基布の織組織を部分的に変えて基布に係止されるパイルの傾斜角度を部分的に変えることによって描出される。
しかし、例えばタフテッドパイル布帛のように基布から突き出た長さ５ｍｍ以上の長いパイルが緻密に植設されているパイル布帛では、全てのパイル糸がＵ字形に折れ曲がって基布に差し込まれており、そのＵ字形に折れ曲がったパイルの根元の形状を部分的に変えることは出来ず、緻密に植設されている一部のパイルを押し倒してパイルの傾斜角度を部分的に変えることも出来ず、ヘタラシ技法によって所要の図柄模様をパイル面に描出することは出来ない。
【０００８】
そこで本発明は、パイル長Ｈが５ｍｍ以上のタフテッドパイル布帛のパイル面にヘタラシ技法による図柄と同様に視感的濃淡差による図柄模様を描出することを目的とする。
【課題を解決するための手段】
【０００９】
本発明に係るカーペットは、（１）  熱可塑性合成繊維に成るパイル繊維１１で構成されるパイル糸を基布１９に差し込んでパイルを形成したパイル布帛を表面材とし、（２）  そのパイル面１５に、レーザー光線に加熱されてパイル繊維の先端が熱溶融して窪み、その溶融塊が表面に固着した凹部１７が形成されており、（３）  その凹部に、基布に対して２０度以下の傾斜角度θで傾斜し、その傾斜方向Ｓに傾斜の頂点２６から傾斜の底点２７へと続く長さＬが１５ｍｍ以上の斜面２３が形成されていることを特徴とする（図１〜５参照）。
【発明の効果】
【００１０】
熱可塑性合成繊維（１１）は、加熱されて溶融し溶融塊を形成する過程では、熱溶融した繊維ポリマーに作用する表面張力によって溶融塊が丸味を帯びて脹らみ、その脹らんだ分だけパイル繊維１１の先端が短くなって窪みが発生する。
その溶融塊とパイル面のレーザー光線に加熱されない部分の未加熱パイル繊維の先端とは形状が相異し、未加熱パイル繊維の先端に比して太く丸味を帯びた溶融塊は光沢を帯び、溶融塊が固着した凹部１７とレーザー光線に加熱されずに残って凹部に対して相対的に隆起している凹部の周囲の凸部１８の間には少なくとも光沢差による視感的濃淡が発生する。
【００１１】
斜面の頂点と底点とではパイル繊維の先端の収縮量と溶融塊の質量が異なり、深く窪んだ底点のパイル繊維は凹部の深さに応じて大きく収縮しているので、その深く窪んだ底点２７に介在する溶融塊の質量も多くなる一方、窪みの浅い頂点のパイル繊維の収縮は少なく、その収縮の少ない頂点２６に介在する溶融塊の質量は相対的に少なくなるので、斜面の頂点と底点との間には溶融塊の分布量に応じてなだらか変化した光沢差が生じる。
【００１２】
凹部には硬い溶融塊がパイル層に押し上げられて介在し、靴裏は硬い溶融塊に擦られ、靴裏に付着している塵埃は硬い溶融塊に掻き取られるので、高い塵埃捕捉機能が要求されるダストコントロールマットに好適なカーペットが得られる。
【図面の簡単な説明】
【００１３】
【図１】本発明に係るカーペットの断面側面図である。
【図２】本発明に係るカーペットの断面斜視図である。
【図３】本発明に係るカーペットの断面斜視図である。
【図４】本発明に係るカーペットの断面斜視図である。
【図５】本発明に係るカーペットの平面図である。
【発明を実施するための形態】
【００１４】
本発明において、斜面２３の傾斜角度θが２０度以下、即ち、傾斜方向Ｓにおける斜面の頂点２６から底面２８の底点２７に到る傾斜長さＬで頂点２６から底点２７に到る底面２８の深さＫを除して示される傾斜角度θの正接函数ｔａｎθが０．３６３９７０２（＝ｔａｎ２０°）以下とは、４５度以上の傾斜角度をもってパイル層に刻み込まれるＶ字形切込溝によって描出される所謂”カービング”は、本発明の予期する効果をもたらさず、本発明の対象外になることを意味する。
【００１５】
斜面の頂部２６と底部２７との間の光沢変化と濃淡変化をなだらかにするためには、傾斜角度θを１０度以下、即ちｔａｎθ＝０．１７６（＝ｔａｎ１０°）以下に、更に好ましくは、傾斜角度θを５度以下、即ちｔａｎθ＝０．０８７５（＝ｔａｎ５°）以下にすることが望ましい。
【００１６】
そのように傾斜角度θの少ない凹部は浅く、斜面に分布する溶融塊の粒径が細かく、分布量も少なく、パイル面の真上からは凹部１７と凸部１８との間の濃淡差が看取されても、視線とパイル面との間の視覚が３０度以下となる遠方からは凹部１７と凸部１８との間の濃淡差は左程看取されず、歩行者が凹部１７を通過する過程で凹部１７によってパイル面に描かれた図柄が見え隠れする度合いが大きくなり、カーペットの美観が高まる。
【００１７】
見え隠れする度合いの大きい図柄は、歩行者の注意を喚起し、塵埃の拭き取りを促す点でもダストコントロールマットに適した塵埃捕捉機能の高いカーペットが得られる。
従って、斜面２３の傾斜角度θは凹部１７と凸部１８との段差（Ｋ）が感じられない程度に極僅か、即ち５度（ｔａｎ５°＝０．０８７５）以下にすることが望ましい。
車椅子やキャリヤカーの移動の妨げにならないようにするには、凹部１７と凸部１８との段差（Ｋ）を５ｍｍ以下にすることが望ましい（図１参照）。
原着パイル繊維が形成する溶融塊は、その質量に応じて原着顔料の含有量も変化するので、斜面の頂点２６と底点２７の間には色相上のなだらかな濃淡差も生じる。
そして斜面２３の傾斜角度θに応じて光の反射角度も変化する。
【００１８】
このように光沢と濃淡が変化し且つその変化の度合いの異なる斜面２３ａ・２３ｂ・２３ｃ・２３ｄ・２３ｅ………が散在し、それらの斜面２３の形成されている凹部１７と凸部１８とでは光沢だけではなく色調にも濃淡差が生じ、それらの間の光沢と濃淡差によって、ヘタラシ図柄と同様の視感的図柄が描出され、カーペットの美観が高まる（図１〜５参照）。
凹部の内部の入隅２４と出隅２５や下坂３０と上坂２９では光の反射方向が変化するので、歩行者が凹部１７の上を通過する過程で目に映るパイル面の美観が刻々変化する（図２参照）。
【００１９】
従って、本発明の好ましい第１の実施態様は、傾斜方向Ｓが異なる複数種類の何れかの斜面２３ａ・２３ｂ・２３ｃ・２３ｄが内部に形成されている複数種類の凹部１７をパイル面１５に形成することである。その複数種類の凹部は、傾斜方向Ｓが異なる複数種類の斜面が一緒に介在する凹部であってもよいし、例えば、ある凹部の斜面は左向き、別の凹部の斜面は右向き、他の別の凹部の斜面は後ろ向きと言うように、傾斜方向Ｓがそれぞれ異なる複数種類の斜面が個々に介在する複数の凹部であってもよい（図２参照）。
【００２０】
本発明の好ましい第２の実施態様は、傾斜角度θが異なる複数種類の何れかの斜面２３ａ・２３ｅが内部に形成されている複数種類の凹部１７をパイル面１５に形成することである。その複数種類の凹部は、傾斜方向Ｓが異なる複数種類の斜面と同様に、傾斜角度θが異なる複数種類の斜面が一緒に介在する凹部であってもよいし、傾斜角度θがそれぞれ異なる複数種類の斜面が個々に介在する複数の凹部であってもよい（図１〜２参照）。
【００２１】
本発明の好ましい第３の実施態様は、基布１９に対して平行な底面２８が内部に介在する凹部をパイル面１５に形成することである。その凹部１７の内部の底面２８の広さは、直径Ｒが５〜７０ｍｍの円が底面２８に内接する程度であればよい（図１参照）。
【００２２】
凹部１７の内部には、底面２８から隆起した丘陵３２を設けることも出来る（図１、図２、図４参照）。凹部１７の内部には、河岸段丘や棚田のようにパイル面からの深さＫが段階的に変化した平面を形成することも出来る。
図５は、内部が基布１９に平行な十文字形の底面２８によって四区画（３３ａ、３３ｂ、３３ｃ、３３ｄ）に分割され、各区画３３を斜めに横切る出隅２５によって傾斜方向Ｓが互いに逆向きとなる二つの三角形斜面２３ａ、２３ｂに区切られた矩形凹部１７が格子状に配置されたカーペットを図示している。
パイル面１５には図柄模様の表現を豊かにするため、傾斜角度が４０度以上となるカービングによる柄際の縁取りや、周囲を囲む傾斜方向が異なる斜面２３ａ・２３ｂ・２３ｃ・２３ｄと底面２８の間の段差（図３参照）や十文字形の底面２８の四隅と凹部１７を囲むパイル面（凸部１８）の間の段差（図５参照）のように斜面のない段差（ステップ）に底面が囲まれた凹部、或いは、傾斜角度θが２０度を越える斜面を設けることが出来る。このように凹部の形態を多様にすることによって視感的濃淡が鮮やかに現れ、変化に飛んだ見え隠れする図柄模様をパイル面に表現することが出来る。
【００２３】
斜面２３の長さＬや傾斜角度θ、傾斜方向Ｓの異なる種々の輪郭の凹部１７は、パイル布帛をレーザー光線照射装置に通し、パイル面をレーザー光線によって瞬間的に加熱し、パイル繊維の先端を熱溶融させて窪ませ、その溶融塊を固着させて形成し、その過程においてレーザー光線の照射光量を変え、その光量変化に応じて斜面の長さＬを１５ｍｍ以上にし、基布１９に対する傾斜角度θを２０度以下にし、傾斜方向Ｓを変える。
【００２４】
パイル面に発生した溶融塊は、パイル繊維に比して硬く、パイル層に弾性的に押し上げられてパイル面に介在しているので、パイル布帛をカーペットとして長く続く通路や廊下に敷き込んで使用する場合は、歩行者の靴裏に付着している塵埃を掻き取る塵埃捕捉機能を発揮する。
【００２５】
レーザー光線照射装置では、搬送される長尺資材の幅方向にレーザー光線が走査しており、そのレーザー光線の照射箇所が走査痕跡として長尺資材の表面に残るようになっている。パイル長（Ｈ）が５ｍｍ以上のパイルが緻密に植設されたパイル面に発生するレーザー光線の走査痕跡は、レーザー光線の走査方向に続く幅０．３〜２．５ｍｍの細線となって現れる。その細線がパイル布帛の搬送方向に緻密に並んだ箇所が凹部１７となってパイル面に現れる。
【００２６】
パイル布帛１４の裏面には、パイル繊維１１を基布１９に固定するための裏打ち用接着剤が適宜塗布される。
【実施例】
【００２７】
（パイル布帛）
目付け１２０ｇ／ｍ2 のポリエステル繊維性不織布を基布とし、単繊維繊度が１０ｄｔｅｘで総繊度が１３７０ｄｔｅｘの原着ナイロン繊維マルチフイラメント糸をパイル糸とし、ニードル間ゲージ２５．４ｍｍ（１／８吋ゲージ）のカットパイル用タフテッド機においてパイル植設密度（ステッチゲージ）を９ステッチ／２５．４ｍｍとしてタフティングし、パイル長１０ｍｍ・パイル目付け９００ｇ／ｍ2 のタフテッドパイル布帛を得た。
【００２８】
（仕上加工）
このパイル布帛の裏面にプレコートとしてニトリルブタジエンラテックスコンパウンドを塗布して乾燥し、次いでパイル面に硼砂と炭酸水素ナトリウムとアルギン酸ナトリウムを主材とする固形分濃度５質量％の前処理剤水溶液をスプレー装置によって３００ｇ／ｍ2 塗布して乾燥し、平均出力が８００Ｗでレーザー光線の波長が１０．６μｍ、レーザー光線移動速度４０００ｍｍ／分、マーク線太さ０．４ｍｍのイタリヤ・ハイテック社製の炭酸ガスレーザー光線照射装置に通してレーザー光線を模様状に照射し、パイル面のパイル繊維を加熱して溶融塊を模様状にパイル面に形成し、次いで、水洗して前処理剤を洗浄除去し、乾燥機に通して仕上げた。
【００２９】
（仕上がり状態）
前処理剤水溶液のスプレー乾燥後のカットパイルは、先端が前処理剤の乾燥塗膜に固められて尖端形を成しており、その先端だけがレーザー光線に加熱されて溶融塊が発生し、その溶融塊によって尖端形にセットされ、水洗されて前処理剤の固形分が溶解除去されてカットパイルが膨らみを回復してペンシルポイント形を呈した。
レーザー光線の照射時にレーザー光線の出力を変化させた凹部には、カットパイルの先端のパイル繊維の熱収縮の度合いの変化によって斜面が形成された。
【産業上の利用可能性】
【００３０】
本発明によって得られるパイル布帛は、カーマット（車両足元マット）、ダストコントロールマット、カーペット、タイルカーペット等の敷物類に利用される。
【符号の説明】
【００３１】
１１：パイル繊維
１５：パイル面
１７：凹部
１８：凸部
１９：基布
２３：斜面
２４：入隅
２５：出隅
２６：頂点
２７：底点
２８：底面
２９：上坂
３０：下坂
３２：丘陵
３３：区画
Ｈ  ：パイル長
Ｋ  ：深さ
Ｌ  ：傾斜長さ
Ｒ  ：内接円直径
Ｓ  ：傾斜方向
θ  ：傾斜角度
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】
【手続補正９】
【補正対象書類名】図面
【補正対象項目名】図１２
【補正方法】削除
【補正の内容】
【手続補正１０】
【補正対象書類名】図面
【補正対象項目名】図１３
【補正方法】削除
【補正の内容】
【手続補正１１】
【補正対象書類名】図面
【補正対象項目名】図１４
【補正方法】削除
【補正の内容】
【手続補正１２】
【補正対象書類名】図面
【補正対象項目名】図１５
【補正方法】削除
【補正の内容】
【手続補正１３】
【補正対象書類名】図面
【補正対象項目名】図１６
【補正方法】削除
【補正の内容】
【手続補正１４】
【補正対象書類名】図面
【補正対象項目名】図１７
【補正方法】削除
【補正の内容】
【手続補正１５】
【補正対象書類名】図面
【補正対象項目名】図１８
【補正方法】削除
【補正の内容】
【手続補正１６】
【補正対象書類名】図面
【補正対象項目名】図１９
【補正方法】削除
【補正の内容】
【手続補正１７】
【補正対象書類名】図面
【補正対象項目名】図２０
【補正方法】削除
【補正の内容】
【手続補正１８】
【補正対象書類名】図面
【補正対象項目名】図２１
【補正方法】削除
【補正の内容】
【手続補正１９】
【補正対象書類名】図面
【補正対象項目名】図２２
【補正方法】削除
【補正の内容】